(57)【要約】【課題】  両面からの見栄えがよい間仕切板、および、同間仕切板が形成可能な間仕切用ブロック材の提供を課題とする。【解決手段】  第二部分３２，３２を互いに向かい合わせた状態で、間仕切用ブロック材３０，３０の組み付けるため、間仕切板４０の表面および裏面をともに第一部分３１，３１によって構成することができる。従って、間仕切用ブロック材３０，３０の接続に寄与している第二部分３２，３２が外側に露出して間仕切板４０の見栄えを悪くさせることはない。また、間仕切用ブロック材３０，３０を組み付けるにあたって、特に接続金具や接着剤や工具等を要しないため、容易に間仕切用ブロック材３０，３０を組み付けることができる。【選択図】図３
2006336360.tif 000002
【特許請求の範囲】
【請求項１】
少なくとも裏面が平面状に形成された略矩形状の第一部分と、
上記第一部分よりも幅が小さく形成されるとともに、上記第一部分の裏面側にて同第一部分と平行に保持される略矩形板状の第二部分と、
上記第一部分と上記第二部分の幅方向中央部にて両者を上記第二部分の厚み分だけ離して連結するとともに、同第二部分よりも幅狭な連結部とを具備することを特徴とする間仕切用ブロック材。
【請求項２】
上記連結部の幅は、上記第一部分と上記第二部分の幅の差と略同幅とされることを特徴とする請求項１に記載の間仕切用ブロック材。
【請求項３】
上記第一部分と上記第二部分と上記連結部は木材を切削することにより一体的に形成されることを特徴とする請求項１または請求項２のいずれかに記載の間仕切用ブロック材。
【請求項４】
上記第一部分および上記第二部分の長さ方向は木材の正目方向とされるとともに、
上記第一部分が原木の辺材側から形成され、上記第二部分が同原木の心材側から形成されることを特徴とする請求項３に記載の間仕切用ブロック材。
【請求項５】
略板状の第一部分と、上記第一部分よりも幅が小さく形成されるとともに上記第一部分の裏面側にて同第一部分と平行に保持される略矩形板状の第二部分と、上記第一部分と上記第二部分の幅方向中央部にて両者を上記第二部分の厚み分だけ離して連結するとともに、同第二部分よりも幅狭な連結部とを具備する複数の間仕切用ブロック材からなり、
上記第一部分と上記第二部分との間に、他の間仕切用ブロック材の上記第二部分を挟み込むことにより複数の上記間仕切用ブロック材が連結されることを特徴とする間仕切板。
【請求項６】
略矩形状の第一部分と、
同第一部分から厚み方向に延設され同第一部分よりも幅が狭く形成された略矩形状の第二部分と、
上記第二部分の幅方向両端において、厚み方向に反転させた同第二部分の幅方向端部と嵌合可能な一対の切り欠き構造とを具備することを特徴とする間仕切用ブロック材。
【発明の詳細な説明】
【技術分野】
【０００１】
本発明は、間仕切用ブロック材および間仕切板に関する。
【背景技術】
【０００２】
従来、この種のブロック材として、裏面から嵌入片を観入させることにより複数のブロック材を幅方向や長さ方向に自由に接続可能なのもが知られている（例えば。特許文献、１参照。）。
かかる構成によれば、ブロック材の接続個数や接続方向を自由に変更することができるため、任意の大きさの床面等を形成することが可能であった。
【特許文献１】特開２００４−１９２３７号公報
【発明の開示】
【発明が解決しようとする課題】
【０００３】
しかしながら、上述したブロック材の裏面においては嵌入片が露出して見栄えが良好ではない。一方、部屋等を小さく仕切るための間仕切板においては、同間仕切板を挟んで小部屋が形成されるため、両面とも見栄えをよくする必要があった。そのため、上述したブロック材を組み付けたものを間仕切板に使用すると、一方の側においては見栄えが悪くなるという課題があった。
本発明は、上記課題にかんがみてなされたもので、両面からの見栄えがよい間仕切板、および、同間仕切板が形成可能な間仕切用ブロック材を提供することを目的とする。
【課題を解決するための手段】
【０００４】
上記課題を解決するために請求項１に記載の発明は、少なくとも裏面が平面状に形成された略矩形状の第一部分と、上記第一部分よりも幅が小さく形成されるとともに、上記第一部分の裏面側にて同第一部分と平行に保持される略矩形板状の第二部分と、上記第一部分と上記第二部分の幅方向中央部にて両者を上記第二部分の厚み分だけ離して連結するとともに、同第二部分よりも幅狭な連結部とを具備する構成としてある。
【０００５】
上記のように構成した請求項１の発明において、少なくとも裏面が平面状に形成された略矩形状の第一部分が設けられ、この第一部分よりも幅が小さい略矩形板状の第二部分が上記第一部分の裏面側に設けられる。上記第一部分と上記第二部分とは、両者の幅方向中央部に設けられた連結部によって連結される。上記連結部は、上記第二部分が上記第一部分と平行となるように両者を連結する。さらに、上記連結部は、上記第二部分が同第二部分の厚み分だけ同第一部分から離れるように両者を連結する。上記連結部は上記第二部分よりも幅が狭く形成されるため、長さ方向外側から見たときに上記間仕切用ブロック材は略エの字状となる。
【０００６】
このように構成した同一形状の間仕切用ブロック材を複数用意し、上記第二部分側を互いに向かい合わせる。そして、一方の間仕切用ブロック材における上記第一部分と上記第二部分との隙間に、向かい合わされた他の間仕切用ブロック材の上記第二部分を厚み方向に挟み込んで固定することができる。上記第二部分の厚みと、上記第一部分と上記第二部分との隙間とが略同一とされているため、同隙間にて同第二部分を強固に挟み込むことができる。このような方向で組付けを行うことにより、二個の上記間仕切用ブロック材は、上記第二部分を内側に向かい合わせ、上記第一部分を外側に露出するように組み付けられたこととなる。また、上記連結部は上記第一部分と上記第二部分の幅方向中央部にて両者を連結するため、同連結部の幅方向両側に同第一部分と同第二部分との隙間を形成することができる。従って、一の上記間仕切用ブロック材に対して、二の上記間仕切用ブロック材を組み付けることができる。すなわち、上記のような上記間仕切用ブロック材の組み付けを連続的に行うことにより、幅方向に任意の長さを有する間仕切板を形成することができる。このようにして形成された間仕切り板においては、上記第一部分が表面および裏面を構成し、上記第二部分や上記連結部が外側に露出することはない。従って、上記第一部分を見栄えよく形成しておけば、表裏とも見栄えのよい間仕切板を形成することができる。
【０００７】
さらに、上記連結部の幅の好適な例として、請求項２にかかる発明では、上記連結部の幅は、上記第一部分と上記第二部分の幅の差と略同幅とされる構成としてある。
上記のように構成した請求項２の発明において、上記連結部の幅が上記第一部分と上記第二部分の幅の差と略同じとなる。上記連結部と上記第二部分の幅の和が上記第一部分の幅と同じとなるため、上記連結部の外側に隙間を生じさせないようにすることができる。これにより、組み付けられた上記間仕切用ブロック材をより確実に固定することができる。
【０００８】
なお、上記間仕切用ブロック材の素材としては、種々のものを適用することができ、合成樹脂やセラミックや金属等を使用してもよいし、これらの複合材料で形成されてもよい。このような上記間仕切用ブロック材の素材の好適な一例として、請求項３にかかる発明は、上記第一部分と上記第二部分と上記連結部は木材を切削することにより一体的に形成される構成としてある。
上記のように構成した請求項３の発明では、上記間仕切用ブロック材が木材で形成される。木材によれば、上記間仕切板に自然な風合いや保湿性等の木固有の利点を備えさせることができる。木材で上記間仕切用ブロック材を形成するにあたっては、原材となる木材を切削することにより、上記第一部分と上記第二部分と上記連結部を一体的に形成する。これにより、上記第一部分と上記第二部分と上記連結部とを接着する等の作業を省くことができる。また、木材であれば吸湿時に膨潤するため、上記第二部分を強固に挟み込むことができる。
【０００９】
さらに、原材から上記間仕切用ブロック材を形成する際の好適な具体的手法の一例として、請求項４にかかる発明は、上記第一部分および上記第二部分の長さ方向は木材の正目方向とされるとともに、上記第一部分が原木の辺材側から形成され、上記第二部分が同原木の心材側から形成される構成としてある。
上記のように構成した請求項４の発明では、上記第一部分および上記第二部分の長さ方向は木材の正目方向とされるため、長さ方向に沿った木目模様を形成することができる。さらに、上記第一部分が原木の辺材側から形成されるため、同第一部分に整然とした木目模様を備えさせることができる。一方、上記第二部分が同原木の心材側から形成されることとなるが、同第二部分は外側に露出することはないため、見栄えが問題となることはない。
【００１０】
さらに、上述した上記間仕切用ブロック材を組み付けて形成した請求項５の間仕切板においても、請求項１から請求項４の間仕切用ブロック材に対応する特別な技術的特徴を有していることはいうまでもない。
【００１１】
さらに、請求項６にかかる発明は、略矩形状の第一部分と、同第一部分から厚み方向に延設され同第一部分よりも幅が狭く形成された略矩形状の第二部分と、上記第二部分の幅方向両端において、厚み方向に反転させた同第二部分の幅方向端部と嵌合可能な一対の切り欠き構造とを具備する構成としてある。
上記のように構成した請求項６の発明では、第一部分が略矩形状に形成され、その厚み方向に同第一部分よりも幅が狭い略矩形状の第二部分が延設される。上記第二部分の幅方向両端には一対の切り欠き構造が設けられ、同切り欠き構造にて厚み方向に反転された上記第二部分の幅方向端部を嵌合させることができる。かかる構成においても、厚み方向に関して反対向きに向き合わせられた間仕切用ブロック材を組み付けることができる。従って、上記第一部分を外側にして、上記第二部分が外側に露出させないようにすることができる。
【発明の効果】
【００１２】
請求項１、請求項５および請求項６に記載の発明によれば、両面からの見栄えがよい間仕切板、および、同間仕切板が形成可能な間仕切用ブロック材を提供することができる。
請求項２にかかる発明によれば、隙間なく間仕切用ブロック材を接続することができる。
請求項３にかかる発明によれば、木の利点を間仕切板に備えさせることができる。
請求項４にかかる発明によれば、見栄えの木目模様を間仕切板に備えさせることができる。
【発明を実施するための最良の形態】
【００１３】
ここでは、下記の順序に従って本発明の実施の形態について説明する。
（１）間仕切用ブロック材の製造：
（２）間仕切用ブロック材の構成：
（３）間仕切板の組み付け：
（４）変形例：
（５）まとめ：
【００１４】
（１）間仕切用ブロック材の製造：
図１は、本発明の一実施形態にかかる間仕切用ブロック材の製造する様子を示している。同図において、予め原木１０が用意され、同原木の正目方向が長さ方向となるように角材２０を形成する。角材２０の幅Ｗ１は厚みＴ１よりも長くなるように形成されている。また、厚み方向の一方が原木１０の心材側（木裏側）となり、もう一方が原木１０の辺材側（木表側）となるように角材２０が切り出される。なお、心材側とは原木１０の径方向中心であって年輪の古い側を意味し、辺材側は原木１０の径方向外側であって年輪の若い側を意味する。
【００１５】
なお、原木１０は、角材２０よりも太ければよく、間伐材等を使用してもよい。次に、角材２０を波線のように加工する。角材２０を加工するにあたっては、例えば製材装置を用いて角材２０を長さ方向に搬送しつつ、幅方向外側から対応する形状の回転切削鋸を接近させて切削を行うことにより、長さ方向に同一形状の間仕切用ブロック材を一体的に形成することができる。以上のようにして形成された長尺材を適当な長さに切断することにより、間仕切用ブロック材が形成される。
【００１６】
（２）間仕切用ブロック材の構成：
図２は、間仕切用ブロック材を斜めから見て示している。同図において、間仕切用ブロック材３０は互いに平行な第一部分３１と第二部分３２とを有しており、それぞれ略矩形板状に形成されている。第一部分３１は図１に示す辺材側から形成されており、第二部分は心材側から形成されている。第一部分３１は断面略台形となるように加工されており、最大幅Ｗ１となるように形成されている。第二部分３２の幅Ｗ２は、第一部分３１の幅Ｗ１よりも小さく形成されており、第一部分３１と第二部分３２の長さＬは同じとされている。第一部分３１と第二部分３１は幅方向中央に設けられた連結部３３によって連結されている。すなわち、第二部分３２と連結部３３は第一部分３１の裏面から厚み方向に延設されている。連結部３３は断面略矩形状に形成されており、長さが第一部分３１と第二部分３２と同じ長さＬとされている。連結部３３の幅Ｗ３は、第二部分３２の幅Ｗ２よりも小さく形成されているため、間仕切用ブロック材３０は、長さ方向外側から見たときに、幅方向中央に関して線対称な略エの字状となっている。第二部分３２の幅方向外側の角部は面取りされた形状となっている。
【００１７】
さらに、連結部３３の幅Ｗ３は、第一部分３１の幅Ｗ１と第二部分３２の幅Ｗ２の差（Ｗ１−Ｗ２）と等しく形成されている。連結部３３の厚みＴ３は、第二部分３２の厚みＴ２と同じとされている。従って、連結部３３の厚みＴ３の分だけ平行に離間させられる第一部分３１と第二部分３２との間隔も、第二部分３２の厚みＴ２と同じとなっている。すなわち、連結部３３の幅方向両外側には、それぞれ厚みが第二部分３２の厚みＴ２と等しい略矩形状の隙間が形成されている。上述したとおり間仕切用ブロック材３０は長さ方向に同一形状となっているため、長さ方向の各部位において幅Ｗ１，Ｗ２，Ｗ３と厚みＴ２，Ｔ３は一定となっている。なお、本実施形態において、Ｗ１＝１００．０ｍｍ，Ｗ２＝５８．０ｍｍ，Ｗ３＝４０．０ｍｍ，Ｔ２＝Ｔ３＝３．０ｍｍとされている。
【００１８】
（３）間仕切板の組み付け：
図３は、間仕切用ブロック材３０を複数組み付ける様子を示している。同図において、３個の間仕切用ブロック材３０，３０，３０が組み付けられている。紙面上方に第一部分３１を配向させた間仕切用ブロック材３０に対して、紙面下方に第一部分３１を配向させた２個の間仕切用ブロック材３０が組み付けられている。これらは、互いの第二部分３２，３２，３２を向かい合わせており、反対側の第一部分３１，３１，３１は外側に配向させられている。連結部３３の幅方向両外側には、それぞれ厚みが第二部分３２の厚みＴ２と等しい略矩形状の隙間が形成されているが、これらの隙間に対してそれぞれ幅方向外側から他の間仕切用ブロック材３０，３０の第二部分３２，３２が嵌め込まれている。第二部分３２の幅方向外側の角部は面取りされた形状となっているため、スムーズに第二部分３２を隙間に進入させることができる。
【００１９】
第一部分３１と第二部分３２との間の隙間は第二部分３２の厚みＴ２と等しいため、第一部分３１と第二部分３２によって隙間なく第二部分３２，３２を厚み方向に挟み込んで固定することができる。また、上述したとおり連結部３３の幅Ｗ３は、第一部分３１の幅Ｗ１と第二部分Ｗ２の幅Ｗ２の差と同じであるため、連結部３３の幅方向外側に隙間が形成されないようにすることができる。図３に示すように、第一部分３１の幅Ｗ１の半分が第二部分３２の幅Ｗ２の半分と連結部３３の幅Ｗ３の半分の和と等しいことにより、連結部３３の幅方向外側が隙間なく、埋め尽くされていることが分かる。このように隙間がない状態で間仕切用ブロック材３０，３０，３０を組み付けることにより、これらががたつくことが防止できる。また、間仕切用ブロック材３０，３０，３０を組み付けるにあたって、特に接続金具や接着剤や工具等を要しないため、容易に間仕切用ブロック材３０，３０，３０を組み付けることができる。
【００２０】
図４は、間仕切用ブロック材を複数組み付けることにより形成された間仕切板を斜めから見て示している。同図において、図３に示す組み付けを幅方向に連続して行うことにより、任意の幅の間仕切板４０を形成することができる。また、手前側に組み付けられる間仕切用ブロック材３０，３０・・・と、奥側に組み付けられる間仕切用ブロック材３０，３０・・・の高さを互い違いにずらすことにより、間仕切用ブロック材３０，３０・・・を高さ方向に接続することができる。従って、任意の高さの間仕切板４０を形成することが可能となっている。なお、間仕切用ブロック材３０を幅方向中央で分断したものを間仕切板４０の幅方向最外部に組み付けることにより、間仕切板４０の幅方向端面を平坦に形成することができる。同様に、間仕切用ブロック材３０を長さ方向中央で分断したものを間仕切板４０の高さ方向最外部に組み付けることにより、間仕切板４０の高さ方向端面を平坦に形成することができる。
【００２１】
以上のようにして形成した間仕切板４０は、大部屋等を複数のパーティションに区切るための仕切りとして使用することができる。また、幅および高さを任意に変更することができるため、使用者の要望に柔軟に対応することができる。また、本実施形態においては、間仕切板４０は木で形成されているため、木の質感によって使用者を和ませることができる。また、木が有する保湿性によって、保湿効果を奏することができる。また、組み付け後に吸湿することにより、間仕切用ブロック材３０が膨潤するため、第一部分３１と第二部分３２による挟み込みが強固となる。
【００２２】
さらに、間仕切板４０において表面および裏面はともに第一部分３１によって構成されている。第一部分３１は原木１０における辺材側から形成されているため、木目もきれいであり、クッション性も高い。従って、間仕切板４０の表面および裏面ともに、美観が優れており、衝突時の安全性も高くすることができる。一方、各間仕切用ブロック材３０，３０，３０の固定に寄与している第二部分３２は原木１０の心材側から形成されているため、木目がきれいではない場合がある。しかしながら、第二部分３２が外側に露出することはないため、間仕切板４０としての見栄えが悪くなることはない。
【００２３】
なお、本実施形態における第一部分３１は請求項６に記載した発明の第一部分に相当し、第二部分３２と連結部３３は請求項６に記載した発明の第二部分に相当する。そして、第一部分３１と第二部分３２との間に形成される隙間が、請求項６に記載した発明の切り欠きに相当していると言うことができる。
【００２４】
（４）変形例：
図５は、変形例にかかる間仕切用ブロック材１３０を長さ方向外側から見て示している。同図において、第二部分１３２と連結部１３３は前実施形態と同様に形成されているが、第一部分１３１の表面が鉄板１３４によって覆われている。すなわち、間仕切板の表面に強度を要する場合には、鉄板１３４によって補強するようにしてもよい。また、防水性も向上するため、例えば屋根材等に使用することも可能となる。
【００２５】
図６は、別の変形例にかかる間仕切用ブロック材２３０を長さ方向外側から見て示している。同図において、第一部分２３１と第二部分２３２と連結部２３３との間に形成される角部が滑らかに湾曲した形状とされている。このようにすることにより、角部に応力が集中することによりクラックが生じることを防止することができる。
【００２６】
図７は、別の変形例にかかる間仕切用ブロック材３３０を長さ方向外側から見て示している。同図において、第二部分３３２の幅方向中央部にくさび型の切り込み３３２ａが形成されている。このようにすることにより、心材側から形成された第二部分３３２の中央に集中しがちな内部応力を解放することができ、間仕切用ブロック材３３０全体の反りを緩和することができる。これにより、間仕切用ブロック材３３０の平坦性が確保され、平坦性に優れた間仕切板を形成することができる。
【００２７】
図８は、別の変形例にかかる間仕切用ブロック材４３０を長さ方向外側から見て示している。同図において、３個の間仕切用ブロック材４３０，４３０，４３０がそれぞれ第一部分４３１，４３１，４３１を外側にして組み付けられている。本変形例において間仕切用ブロック材４３０は第一部分４３１と第二部分４３２とから構成されている。第二部分４３２は略台形状に形成されており、第一部分３１の裏側から厚み方向に延設されている。第二部分４３２の幅方向両外側には略三角形状の切り欠き構造４３２ａ，４３２ａが一対形成されている。各間仕切用ブロック材４３０，４３０，４３０において同形状の切り欠き構造４３２ａ，４３２ａ，４３２ａ，４３２ａ，４３２ａ，４３２ａが形成されているため、厚み方向に反転して配置された間仕切用ブロック材４３０，４３０，４３０の第二部分４３２の幅方向端部を他の間仕切用ブロック材４３０，４３０，４３０の切り欠き構造４３２ａ，４３２ａに嵌合させることができる。かかる構成により、前実施形態よりも固定強度は低下するが、間仕切用ブロック材４３０の加工性を向上させることができる。
【００２８】
さらに、紙面上側に組み付けられた間仕切用ブロック材４３０においては第一部分４３１が略半円状に形成されている。第一部分４３１は少なくとも第二部分４３２が延設される裏面が平面状であればよく、表側は任意の形状とすることができる。従って、本変形例のように略半円状とすることも可能であり、この場合、丸太を組んだような外観を形成することができる。本変形例においては、紙面上側のみが丸太組状となるようにしたが、両面とも第一部分４３１が略半円の状間仕切用ブロック材４３０を組み付けることにより、両面とも丸太組状となる間仕切板を形成することもできる。
【００２９】
（５）まとめ：
以上説明したように、第二部分３２，３２を互いに向かい合わせた状態で、間仕切用ブロック材３０，３０の組み付けるため、間仕切板４０の表面および裏面をともに第一部分３１，３１によって構成することができる。従って、間仕切用ブロック材３０，３０の接続に寄与している第二部分３２，３２が外側に露出して間仕切板４０の見栄えを悪くさせることはない。また、間仕切用ブロック材３０，３０を組み付けるにあたって、特に接続金具や接着剤や工具等を要しないため、容易に間仕切用ブロック材３０，３０を組み付けることができる。
【図面の簡単な説明】
【００３０】
【図１】間仕切用ブロック材を製造する様子を説明した図である。
【図２】間仕切用ブロック材の斜視図である。
【図３】組み付けた状態の間仕切用ブロック材の平面図である。
【図４】間仕切板の斜視図である。
【図５】変形例にかかる間仕切用ブロック材の平面図である。
【図６】変形例にかかる間仕切用ブロック材の平面図である。
【図７】変形例にかかる間仕切用ブロック材の平面図である。
【図８】変形例にかかる間仕切用ブロック材の平面図である。
【符号の説明】
【００３１】
１０…原木
２０…角材
３０，１３０，２３０，３３０，４３０…間仕切用ブロック材
３１，１３１，２３１，３３１，４３１…第一部分
３２，１３２，２３２，３３２，４３２…第二部分
３３，１３３，２３３，３３３…連結部
１３４…鉄板
３３２ａ…切り込み
４３２ａ…切り欠き構造
【図１】
2006336360.tif 000003
【図２】
2006336360.tif 000004
【図３】
2006336360.tif 000005
【図４】
2006336360.tif 000006
【図５】
2006336360.tif 000007
【図６】
2006336360.tif 000008
【図７】
2006336360.tif 000009
【図８】
2006336360.tif 000010